(57)【要約】【課題】  装置本体に着脱自在に装着される記録メディアユニットのセキュリティを確保しつつ、容易にアクセスすることができるようにした記録メディアユニットのアクセス方法、記録メディアユニット及びカメラ一体型記録再生装置を提供する。【解決手段】  本体装置との間で認証ＩＤの確認など認証操作によって通信が確立された記録メディアユニットに対して、本体装置に装着されている間および本体装置から離された後の一定時間の間は、記録メディアのセキュリティガードを解除し（ステップＳ１〜Ｓ３）、記録メディアユニットのアクセスを許可し、本体装置からの通信が途絶して一定時間経過後は、記録メディアのセキュリティガードを設定することで（ステップＳ４〜Ｓ６）、あらためて認証操作による通信が確立されるまで記録メディアユニットのアクセスを禁止する【選択図】        図２
2007079614.tif 000002
【特許請求の範囲】
【請求項１】
装置本体に着脱自在に装着される記録メディアユニットのアクセス方法であって、
本体装置との間で認証ＩＤの確認など認証操作によって通信が確立された記録メディアユニットに対して、本体装置に装着されている間および本体装置から離された後の一定時間の間は、記録メディアのセキュリティガードを解除し、記録メディアユニットのアクセスを許可し、
本体装置からの通信が途絶して一定時間経過後は、記録メディアのセキュリティガードを設定することで、あらためて認証操作による通信が確立されるまで記録メディアユニットのアクセスを禁止することを特徴とする記録メディアユニットのアクセス方法。
【請求項２】
ある１台の本体装置との間で認証ＩＤの確認などによって通信が確立された記録メディアユニットを一旦本体装置から離し、一定時間内に同じ本体装置に装着した場合は認証確認の手続き無しに、記録・再生・消去などの総ての操作を許可し、
一定時間内にあらかじめ登録した同じグループに属する他の装置に装着した場合は、認証確認の手続き無しに、追加記録と再生だけを許可することを特徴とする請求項１記載の記録メディアユニットのアクセス方法。
【請求項３】
ある１台の本体装置との間で認証ＩＤの確認などによって通信が確立された記録メディアユニットを一旦本体装置から離し、一定時間経過後同じ本体装置に装着した場合は再度の認証確認の手続きを行うことで、記録・再生・消去などの総ての操作を許可し、
一定時間経過後にあらかじめ登録した同じグループに属する他の装置に装着した場合は、認証確認の手続きを行うことで、追加記録と再生だけを許可する請求項１記載の記録メディアユニットのアクセス方法。
【請求項４】
装置本体に着脱自在に装着される記録メディアユニットであって、
本体装置との間での認証操作に用いる認証ＩＤを記憶する認証ＩＤ回路と、
上記認証ＩＤ回路に記憶された認証ＩＤに基づき、本体装置との間で認証ＩＤの確認など認証操作によって通信が確立される記録メディアと、
本体装置に装着されている間および本体装置から離された後の一定時間の間は、記録メディアのセキュリティガードを解除し、記録メディアへのアクセスを許可し、本体装置からの通信が途絶して一定時間経過後は、記録メディアのセキュリティガードを設定することで、あらためて認証操作による通信が確立されるまで記録メディアへのアクセスを禁止するセキュリティガード回路を備える
ことを特徴とする記録メディアユニット。
【請求項５】
上記認証ＩＤ回路は、同じグループを示すグループ認証ＩＤを記憶しており、
上記セキュリティガード回路は、ある１台の本体装置との間で認証ＩＤの確認などによって通信が確立された記録メディアを一旦本体装置から離し、一定時間内に同じ本体装置に装着した場合は認証確認の手続き無しに、記録・再生・消去などの総ての操作を許可し、一定時間内にあらかじめ登録した同じグループに属する他の装置に装着した場合は、認証確認の手続き無しに、追加記録と再生だけを許可することを特徴とする請求項４記載の記録メディアユニット。
【請求項６】
上記認証ＩＤ回路は、同じグループを示すグループＩＤを記憶しており、
上記セキュリティガード回路は、ある１台の本体装置との間で認証ＩＤの確認などによって通信が確立された記録メディアユニットを一旦本体装置から離し、一定時間経過後に同じ本体装置に装着した場合は再度の認証確認の手続きを行うことで、記録・再生・消去などの総ての操作を許可し、一定時間経過後にあらかじめ登録した同じグループに属する他の装置に装着した場合は、認証確認の手続きを行うことで、追加記録と再生だけを許可する請求項４記載の記録メディアユニット。
【請求項７】
装置本体に着脱自在に装着される記録メディアユニットを介して、上記装置本体に設けられた撮像部により被写体像を撮像して得られる画像データを記録再生するカメラ一体型記録再生装置であって、
上記装置本体には、上記記録メディアユニットに対する認証ＩＤを発行して認証処理を行う認証回路を備え、
上記記録メディアユニットは、本体装置との間での認証操作に用いる認証ＩＤを記憶する認証ＩＤ回路と、上記認証ＩＤ回路に記憶された認証ＩＤに基づき、本体装置との間で認証ＩＤの確認など認証操作によって通信が確立される記録メディアと、本体装置に装着されている間および本体装置から離された後の一定時間の間は、記録メディアのセキュリティガードを解除し、記録メディアへのアクセスを許可し、本体装置からの通信が途絶して一定時間経過後は、記録メディアのセキュリティガードを設定することで、あらためて認証操作による通信が確立されるまで記録メディアへのアクセスを禁止するセキュリティガード回路を備える
ことを特徴とするカメラ一体型記録再生装置。
【請求項８】
上記記録メディアユニットは、上記認証ＩＤ回路に同じグループを示すグループ認証ＩＤを記憶しており、上記セキュリティガード回路により、ある１台の本体装置との間で認証ＩＤの確認などによって通信が確立された記録メディアを一旦本体装置から離し、一定時間内に同じ本体装置に装着した場合は認証確認の手続き無しに、記録・再生・消去などの総ての操作を許可し、一定時間内にあらかじめ登録した同じグループに属する他の装置に装着した場合は、認証確認の手続き無しに、追加記録と再生だけを許可し、
上記装置本体には、同じグループを示すグループコードを記憶したグループコード記憶回路を備え、上記認証回路は、上記記録メディアユニットに対するグループ認証ＩＤを発行して認証処理を行うことを特徴とする請求項７記載のカメラ一体型記録再生装置。
【請求項９】
上記記録メディアユニットは、上記認証ＩＤ回路に同じグループを示すグループ認証ＩＤを記憶しており、上記セキュリティガード回路により、ある１台の本体装置との間で認証ＩＤの確認などによって通信が確立された記録メディアユニットを一旦本体装置から離し、一定時間経過後に同じ本体装置に装着した場合は再度の認証確認の手続きを行うことで、記録・再生・消去などの総ての操作を許可し、一定時間経過後にあらかじめ登録した同じグループに属する他の装置に装着した場合は、認証確認の手続きを行うことで、追加記録と再生だけを許可し、
上記装置本体には、同じグループを示すグループコードを記憶したグループコード記憶回路を備え、上記認証回路は、上記記録メディアユニットに対するグループ認証ＩＤを発行して認証処理を行うことを特徴とする請求項７記載のカメラ一体型記録再生装置。
【発明の詳細な説明】
【技術分野】
【０００１】
本発明は、中継やニュースの取材などに使用されるＥＮＧ（Electric  News  Gathering）カメラ等のカメラ一体型記録再生装置に着脱自在に装着される記録メディアユニットのアクセス方法、記録メディアユニット及びカメラ一体型記録再生装置に関する。
【背景技術】
【０００２】
従来より、中継やニュースの取材などに使用されるＥＮＧ（Electric  News  Gathering）カメラ等のカメラ一体型記録再生装置は、複数のカメラマンが使用することがあるので、正当な使用者のみに使用可能とするためのユーザ認証の機能や記録内容の不正使用を防止するための記録メディアの認証機能などが搭載されているものもある。
【発明の開示】
【発明が解決しようとする課題】
【０００３】
しかしながら、従来、記録メディアの認証確認の手続きを行う記録メディアでは、記録・再生・消去などの操作に対するセキュリティのガードは固定的なものであり、メディアが短時間でも本体装置から離されたりして通信が途絶すると、再度装着しても、記録・再生・消去などを行うためにはあらためて認証確認の手続きを行う必要があり、再使用までに時間がかかり、また取扱が煩雑である。
【０００４】
また、通信分野において、認証確認の手続きを行って一旦確立した通信が何らかの理由で途絶したとき、再度通信を確立するために、自動的に再度の認証確認の手続きを行うことは一般的に行われている。しかし、このような手続きは１対１の通信について行われているもので、複数の本体装置について行われるものではないため、同じグループに属する別の本体装置で通信を行おうとするときには、あらためて認証確認の手続きが必要となる。
【０００５】
そこで、本発明の目的は、上述の如き従来の問題点に鑑み、装置本体に着脱自在に装着される記録メディアユニットのセキュリティを確保しつつ、容易にアクセスすることができるようにした記録メディアユニットのアクセス方法、記録メディアユニット及びカメラ一体型記録再生装置を提供することにある。
【０００６】
本発明の更に他の目的、本発明によって得られる具体的な利点は、以下に説明される実施の形態の説明から一層明らかにされる。
【課題を解決するための手段】
【０００７】
本発明は、装置本体に着脱自在に装着される記録メディアユニットのアクセス方法であって、本体装置との間で認証ＩＤの確認など認証操作によって通信が確立された記録メディアユニットに対して、本体装置に装着されている間および本体装置から離された後の一定時間の間は、記録メディアのセキュリティガードを解除し、記録メディアユニットのアクセスを許可し、本体装置からの通信が途絶して一定時間経過後は、記録メディアのセキュリティガードを設定することで、あらためて認証操作による通信が確立されるまで記録メディアユニットのアクセスを禁止することを特徴とする。
【０００８】
また、本発明は、装置本体に着脱自在に装着される記録メディアユニットであって、本体装置との間での認証操作に用いる認証ＩＤを記憶する認証ＩＤ回路と、上記認証ＩＤ回路に記憶された認証ＩＤに基づき、本体装置との間で認証ＩＤの確認など認証操作によって通信が確立される記録メディアと、本体装置に装着されている間および本体装置から離された後の一定時間の間は、記録メディアのセキュリティガードを解除し、記録メディアへのアクセスを許可し、本体装置からの通信が途絶して一定時間経過後は、記録メディアのセキュリティガードを設定することで、あらためて認証操作による通信が確立されるまで記録メディアへのアクセスを禁止するセキュリティガード回路を備えることを特徴とする。
【０００９】
さらに、本発明は、装置本体に着脱自在に装着される記録メディアユニットを介して、上記装置本体に設けられた撮像部により被写体像を撮像して得られる画像データを記録再生するカメラ一体型記録再生装置であって、上記装置本体には、上記記録メディアユニットに対する認証ＩＤを発行して認証処理を行う認証回路を備え、上記記録メディアユニットは、本体装置との間での認証操作に用いる認証ＩＤを記憶する認証ＩＤ回路と、上記認証ＩＤ回路に記憶された認証ＩＤに基づき、本体装置との間で認証ＩＤの確認など認証操作によって通信が確立される記録メディアと、本体装置に装着されている間および本体装置から離された後の一定時間の間は、記録メディアのセキュリティガードを解除し、記録メディアへのアクセスを許可し、本体装置からの通信が途絶して一定時間経過後は、記録メディアのセキュリティガードを設定することで、あらためて認証操作による通信が確立されるまで記録メディアへのアクセスを禁止するセキュリティガード回路を備えることを特徴とする。
【発明の効果】
【００１０】
本発明によれば、記録メディアをカメラ一体型記録再生装置から外しても、短時間であれば再度装着したときに、再度の認証を行わないため、スピーディに作業ができる。
【００１１】
また、本発明によれば、撮影中に記録メディアを同じグループの別のカメラ一体型記録再生装置に移しても、外している時間が短時間であれば、再度の認証を行わないため、スピーディに追加記録による撮影作業を続行できる。
【００１２】
また、本発明によれば、撮影済みの記録メディアを同じグループのフィールド編集機に移しても、外している時間が短時間であれば、再度の認証を行わないため、スピーディに再生でき、編集作業を行うことができる。
【００１３】
また、本発明によれば、記録メディアをカメラ一体型記録再生装置から外して一定時間がたつと、同一装置であっても記録・再生・消去には手動による再度の認証が必要となるため、記録済みのメディアに重ねて記録してしまう事故に注意を喚起できる。
【００１４】
さらに、本発明によれば、記録メディアをカメラ一体型記録再生装置から外して一定時間がたつと、再生であっても再度の認証が必要となるため、記録した情報を勝手に再生されることを防止できる。
【発明を実施するための最良の形態】
【００１５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１６】
本発明は、例えば図１に示すような構成のカメラ一体型記録再生装置１００に適用される。
【００１７】
このカメラ一体型記録再生装置１００は、携帯して使用できるようにビデオカメラとハードディスクドライブや半導体メモリなどの記録メディアを組み合わせて構成された所謂カムコーダであって、撮像レンズ１１を介して被写体像を撮像する撮像素子１２、この撮像素子１２により得られた撮像信号からデジタル化した画像データを生成する画像データ処理回路１３などからなる撮像部１０、操作パネル２０、装置ＩＤ記憶回路３０、グループコード記憶回路４０、認証回路５０などが装置本体１に設けられているとともに、上記撮像部１０により得られた画像データが記録される記録メディア６１を備える記録メディアユニット６０が上記装置本体１に着脱自在に装着されている。
【００１８】
記録メディアユニット６０は、記録メディア６１と認証ＩＤ記憶回路６２と、タイマー６３と、バッテリー６４、セキュリティガード回路６５等で構成される。
【００１９】
認証回路５０は、記録メディアユニット６０内の認証ＩＤ記憶回路６２と通信を行い、認証ＩＤを付与し、また装置ＩＤ等を確認することでセキュリティガードを解除し、カメラ一体型記録再生装置１００と記録メディア６１との通信を確立する。
【００２０】
このカメラ一体型記録再生装置１００は、記録メディアユニット６０を一旦装置本体１から取り出しても、一定時間内に再度記録メディアユニット６０を装着した場合は、内蔵を続けた状態と変わりなく再度の認証確認の手続き無しで、記録再生が可能で、外した時間が一定時間を越えるときには、記録再生に再度の認証確認の手続きが必要になるような装置を実現させるために、記録メディアユニット６０内にタイマー６３を設け、装置本体１から外された時間をカウントして、一定時間を過ぎた場合には記録メディア６１のセキュリティガードを設定する機能を備える。
【００２１】
認証ＩＤを付与したカメラ一体型記録再生装置１００に再度装着された記録メディアユニット６０では、記録メディアユニット６０内のタイマー６３のカウント値が一定以下（例えば５分）の場合は、あらたな認証確認の手続き無しに記録メディア６１に対する記録・再生・消去ができる。タイマー６３のカウント時間が一定時間を超えている（例えば５分を超えている）場合は記録メディア６１のセキュリティガードがセキュリティガード回路６５により設定され、カムコーダ操作者による手動の認証確認の手続きを行うことで、記録メディア６１に対する通信を確立し、記録・再生・消去ができる。
【００２２】
記録メディアユニット６０のタイマー６３はバッテリー６４で動作し、バッテリー６４はカメラ一体型記録再生装置１００に装着した際に図示しない充電回路により充電される。万一バッテリー６４が放電し電力が十分に供給されない場合は、設定時間を経過したものとし、再度装着され電力が復活したときに、セキュリティガード回路６５によるセキュリティガードが設定された状態になるものとする。
【００２３】
このカメラ一体型記録再生装置１００では、グループコード記憶回路４０は操作パネル２０等によって登録されたグループコードを記憶しており、装置本体１に装着された記録メディアユニット６０が同じグループに属している他の装置で認証ＩＤを付与されていて、記録メディアユニット６０内のタイマー６３のカウント値が一定以下（例えば５分）の場合は、あらたな認証確認の手続き無しに記録メディア６１に追加記録・再生ができる。タイマー６３のカウント時間が一定時間を超えている（例えば５分を超えている）場合は記録メディア６１のセキュリティガード回路６５によるセキュリティガードが設定され、カムコーダ操作者による手動の認証確認の手続きを行うことで、記録メディア６１に対する追加記録・再生ができる。
【００２４】
セキュリティガード回路６５は、図２のフローチャートに示す手順で記録メディア６１のセキュリティガードを設定・解除する。
【００２５】
すなわち、記録メディアユニット６０のセキュリティガード回路６５は、当該記録メディアユニット６０が装着状態にあるか否かを判定し（ステップＳ１）、その判定結果がＹＥＳすなわち記録メディアユニット６０がカメラ一体型記録再生装置１００の装置本体１に装着されている場合には、カメラ一体型記録再生装置１００の認証回路５０により認証されたか否かを判定する（ステップＳ２）。上記ステップＳ２における判定結果がＮＯすなわち認証処理が完了していない場合には、上記ステップＳ１に戻ってステップＳ１とステップＳ２を認証処理が完了するまで繰り返す。そして、上記ステップＳ２における判定結果がＹＥＳすなわち認証処理が完了した場合には、セキュリティガード回路６５によるセキュリティガードを解除するとともにタイマー６３をリセットして（ステップＳ３）、上記ステップＳ１に戻る。
【００２６】
このように、上記セキュリティガード回路６５は、記録メディアユニット６０が装置本体１に装着状態にある場合には、上記ステップＳ１〜ステップＳ３の処理を繰り返し行っており、上記ステップＳ１における判定結果がＮＯすなわち記録メディアユニット６０が装置本体１から取り外されると、タイマー６３のカウント動作を開始させ（ステップＳ４）、タイマー６３のカウント時間が所定時間を越えたか否かを判定する（ステップＳ５）。
【００２７】
そして、上記セキュリティガード回路６５は、上記ステップＳ５における判定結果がＮＯすなわちタイマー６３のカウント時間が所定時間を越えていない場合には上記ステップＳ４に戻ってステップＳ４を繰り返し、上記ステップＳ５における判定結果がＹＥＳすなわちタイマー６３のカウント時間が所定時間を越えると、セキュリティガードを設定して、処理を終了する。
【００２８】
ここで、初期化された状態の記録メディア６１に記録する際は、セキュリティガード回路６５によるセキュリティガードがかかっているが、認証ＩＤは設定されていないため、操作パネル２０から手動認証手続きを行い、認証回路５０はこの認証に基づいて基本認証ＩＤを発行し、認証ＩＤ記憶回路３０にこの基本認証ＩＤを書き込む。
【００２９】
また、認証回路５０は、装置ＩＤ記憶回路３０から装置ＩＤを受け取り、あらかじめ決められた手法で装置認証ＩＤを作成し、装置本体１に装着されている記録メディアユニット６０の認証ＩＤ記憶回路６２に作成した装置認証ＩＤを書き込むことができる。
【００３０】
さらに、認証回路５０はグループコード記憶回路４０からグループコードを受け取り、あらかじめ決められた手法でグループ認証ＩＤを作成し、装置本体１に装着されている記録メディアユニット６０の認証ＩＤ記憶回路６２にグループ認証ＩＤを書き込むことができる。
【００３１】
このとき、認証回路５０は、各認証ＩＤを作成する際に、ハッシュ関数を用いるなど、元となる情報が容易に推測されない各種の手法を用いるものとする。
【００３２】
上記セキュリティガード回路６５によるセキュリティガードがかかった記録メディア６１にアクセスするためには、記録メディア６１の初期化時と同様の手順で操作パネル２０から手動認証を行ない、認証回路５０は認証ＩＤ記憶回路６２に基本認証ＩＤが存在すれば、これと照合を行い、セキュリティガード回路６５に認証可または不可を通知する。
【００３３】
手動認証手法としては、キーボードによりパスワードを入力する形態や指紋認証による手法、ＩＤカードによる認証など、あらゆる認証手法を用いることができる。各機器の実装に依存する。
【００３４】
このような構成のカメラ一体型記録再生装置１００では、図３に示すように、記録メディアユニット６０を装置本体１から外しても、短時間であれば再度装着したときに、再度の認証を行わないため、スピーディに作業ができる。
【００３５】
また、図４に示すように、撮影中に記録メディアユニット６０を同じグループの別のカメラ一体型記録再生装置２００に移しても、外している時間が短時間であれば、再度の認証を行わないため、スピーディに追加記録による撮影作業を続行できる。
【００３６】
また、撮影済みの記録メディアユニット６０を同じグループのフィールド編集機に移しても、外している時間が短時間であれば、再度の認証を行わないため、スピーディに再生でき、編集作業を行うことができる。
【００３７】
また、記録メディアユニット６０をカメラ一体型記録再生装置１００装置本体１から外して一定時間がたつと、同一装置であっても記録・再生・消去には手動による再度の認証が必要となるため、記録済みのメディアに重ねて記録してしまう事故に注意を喚起できる。
【００３８】
さらに、記録メディアユニット６０をカメラ一体型記録再生装置１００の装置本体１から外して一定時間がたつと、再生であっても再度の認証が必要となるため、記録した情報を勝手に再生されることを防止できる。
【００３９】
なお、あるカメラ一体型記録再生装置で記録したこの方式の記録メディアユニット６０を同じグループに属する編集機に装着する場合も、カメラ一体型記録再生装置に対すると同様に追加記録・再生だけができる。
【００４０】
記録メディアユニット６０はカメラ一体型記録再生装置１００との通信を無線で行う非接触記録メディアでもよい。この場合、記録メディアユニット６０が通信できる範囲から外れた場合をカメラ一体型記録再生装置１００から外した状態とみなす。また、バッテリー６４への充電は非接触電力伝送で行ってもよい。
【００４１】
カメラ一体型記録再生装置１００の操作者による認証確認の手続きは、操作パネル２０を使った操作に限定されることなく、ＩＤカードの挿入など他の手動による方法でもよい。また、認証回路５０は、その他の認証ＩＤを発行してもよい。たとえば、記録した機器以外でも記録・再生・消去など全ての操作が出きる認証ＩＤを生成して認証ＩＤ記憶回路６２に書き込んでもよい。
【図面の簡単な説明】
【００４２】
【図１】本発明を適用したカメラ一体型記録再生装置の構成を示すブロック図である。
【図２】上記カメラ一体型記録再生装置における記録メディアユニットに備えられたセキュリティガード回路の動作を示すフローチャートである。
【図３】上記セキュリティガード回路を備える記録メディアユニットをカメラ一体型記録再生装置から取り外して同じカメラ一体型記録再生装置に装着した場合の動作を模式的に示す図である。
【図４】上記セキュリティガード回路を備える記録メディアユニットをカメラ一体型記録再生装置から取り外して同じグループの別のカメラ一体型記録再生装置に装着した場合の動作を模式的に示す図である。
【符号の説明】
【００４３】
１０  撮像部、１１  撮像レンズ、１２  撮像素子、１３  画像データ処理回路、２０  操作パネル、３０  装置ＩＤ記憶回路、４０  グループコード記憶回路、５０  認証回路、６０  記録メディアユニット、６１  記憶メディア、６２  認証ＩＤ記憶回路、６３  タイマー、６４  バッテリー、６５  セキュリティガード回路、１００，２００  カメラ一体型記録再生装置
【図１】
2007079614.tif 000003
【図２】
2007079614.tif 000004
【図３】
2007079614.tif 000005
【図４】
2007079614.tif 000006